(57)【要約】【課題】主として液体洗剤を収納する容器であって、該容器体口径部へ嵌合させるキャップを主キャップ状の塗布具と該塗布具の上部へ嵌合させた口キャップとで形成し、塗布具の頂板には流出孔を穿設すると共に口キャップの天板には上記流出孔を密閉可能な栓を付設して、口キャップ嵌合状態では塗布具を計量カップとして使用でき、又口キャップ取外し状態では塗布具の頂部を汚れ落し用の擦付部として使用できるよう設けた。【解決手段】容器体口頸部へキャップ状の塗布具11を又該塗布具の上部外面へ口キャップ31を、それぞれ着脱自在に嵌合させ、塗布具周壁上端の頂板16中央部には流出孔20を穿設すると共にその外周頂板部分上面へは擦付用の小隆起部21を付設し、又口キャップ31の天板35中央部からは上記流出孔密閉用栓36を垂下させた。【選択図】  図３
2006232368.tif 000002
【特許請求の範囲】
【請求項１】
容器体１から起立させた口頸部４外面へ、直接ないし間接に、周壁12上端の頂板16に流出孔20を穿設し、かつ該頂板16上面へ擦付用小隆起部21を付設したキャップ状塗布具11を、又該塗布具11の上部外面へ、上記流出孔閉塞栓36付きの口キャップ31を、それぞれ着脱自在に嵌合させた
ことを特徴とする液体収納容器。
【請求項２】
周壁12の外面から、外向きフランジ13を介して容器体口頸部４外面へ直接ないし間接に螺合させる第１雌ねじ筒14を垂下させると共に、上記外向きフランジ13の上方へ起立する周壁部分上端に付設した頂板16中央部上面に凹部を、かつ該凹部底板に流出孔20を、それぞれ穿設し、又上記外向きフランジ13上面から雄ねじ筒22を起立させてキャップ状塗布具11を形成し、又口キャップ31は、上記凹部内へ密嵌して流出孔20を密閉する栓36を中央部下面に有する天板35外周から垂下させた周壁32の下部を第２雌ねじ筒33として、該第２雌ねじ筒を上記雄ねじ筒22へ螺合させた
ことを特徴とする請求項１記載の液体収納容器。
【請求項３】
上記キャップ状塗布具11の周壁12内面へ、流入液体計量用の目盛23を複数付設した
ことを特徴とする請求項１又は２記載の液体収納容器。
【請求項４】
上記容器体口頸部４外面へ、回動不能に嵌着させた周壁43上端の内向きのフランジ42を口頸部４上端面へ載置させ、そのフランジ内周から口頸部４内へ垂下させた支持筒45下端から容器体内液体注出用ノズル47を起立させ、又上記内向きフランジ42から雄ねじ筒44を起立させて、該雄ねじ筒へキャップ状塗布具11の第１雌ねじ筒14を螺合させた
ことを特徴とする、請求項１、２又は３記載の液体収納容器。
【発明の詳細な説明】
【技術分野】
【０００１】
本発明は主として液体洗剤を収納する液体収納容器に関する。
【背景技術】
【０００２】
液体収納容器は通常容器体から起立させた口頸部へキャップを螺合させており、該キャップを液体計量用カップとして使用する場合は、そのキャップ内面へ計量用目盛りを付設している（特許文献１）。
【特許文献１】特開２００４−１４９１９８号公報
【発明の開示】
【発明が解決しようとする課題】
【０００３】
例えば液状洗剤収納容器の場合は、その液体洗剤計量のために計量カップがあることが望ましく、又その液状洗剤を使用して衣類を洗濯する場合は、衣類の襟又は袖口等、特に汚れの多い部分へ液状洗剤を塗布し、かつその塗布部分をタワシ状部材で擦って汚れを落して洗濯する。
【０００４】
本発明は、上記タワシ機能を有するキャップ状塗布具を設けると共に該塗布具の上部へ口キャップを嵌合させることで、それ等塗布具と口キャップとを計量カップとしても使用できるよう設けたものである。
【課題を解決するための手段】
【０００５】
第１の手段として、容器体１から起立させた口頸部４外面へ、直接ないし間接に、周壁12上端の頂板16に流出孔20を穿設し、かつ該頂板16上面へ擦付用小隆起部21を付設したキャップ状塗布具11を、又該塗布具11の上部外面へ、上記流出孔閉塞栓36付きの口キャップ31を、それぞれ着脱自在に嵌合させた。
【０００６】
第２の手段として、上記第１の手段を有すると共に  周壁12の外面から、外向きフランジ13を介して容器体口頸部４外面へ直接ないし間接に螺合させる第１雌ねじ筒14を垂下させると共に、上記外向きフランジ13の上方へ起立する周壁部分上端に付設した頂板16中央部上面に凹部を、かつ該凹部底板に流出孔20を、それぞれ穿設し、又上記外向きフランジ13上面から雄ねじ筒22を起立させてキャップ状塗布具11を形成し、又口キャップ31は、上記凹部内へ密嵌して流出孔20を密閉する栓36を中央部下面に有する天板35外周から垂下させた周壁32の下部を第２雌ねじ筒33として、該第２雌ねじ筒を上記雄ねじ筒22へ螺合させた。
【０００７】
第３の手段として、上記第１の手段を有すると共に上記キャップ状塗布具11の周壁12内面へ、流入液体計量用の目盛23を複数付設した。
【０００８】
第４の手段として、上記第１、第２又は第３の手段を有すると共に上記容器体口頸部４外面へ、回動不能に嵌着させた周壁43上端の内向きのフランジ42を口頸部４上端面へ載置させ、そのフランジ内周から口頸部４内へ垂下させた支持筒45下端から容器体内液体注出用ノズル47を起立させ、又上記内向きフランジ42から雄ねじ筒44を起立させて、該雄ねじ筒へキャップ状塗布具11の第１雌ねじ筒14を螺合させた。
【発明の効果】
【０００９】
請求項１記載のようにすることで、キャップ状塗布具11と該塗布具の上部外面へ嵌合させた口キャップ31とで計量カップを形成することが出来、又口キャップ31を塗布具11から外すことで、塗布具11は流出孔20から液体を流出させて汚れの多い部分へその液体を塗布し、擦付用小隆起部21で擦ることが出来る。
【００１０】
請求項２のようにすることで、口キャップ31を螺合させたままで塗布具11を容器体１から螺脱して、それ等口キャップ付き塗布具を計量カップとして使用する際に便利であり、又洗濯物の汚れの多い部分洗浄の際は容器体に装着させた塗布具11から口キャップ31だけを外し、その塗布具頂部の流出孔20を汚れ部分に当てて収納液を塗布した後、該塗布具頂部の小隆起部21で擦ること汚れを落すことが出来る。
【００１１】
請求項３のようにすることで、上記口キャップ付き塗布具が形成する計量カップ内での液体計量を正確に行うことが出来る。
【００１２】
請求項４のようにすることで、上記計量カップ内等への液体注出が容易となる。
【発明を実施するための最良の形態】
【００１３】
以下図面について説明する。
【００１４】
まず、図１と図２とが示す第１実施形態について説明すると、１は容器体で胴部２上端から肩部３を介して外面に雄ねじを有する口頸部４を起立している。容器体胴部は圧搾可能に形成するとよい。
【００１５】
上記口頸部へは、キャップ状の塗布具11を螺合させている。該塗布具は、周壁12の中間部へ付設した外向きフランジ13を介して第１雄ねじ筒14を垂下し、口頸部外面へ螺合させている。上記外向きフランジ13からはシール筒15を垂下させて口頸部４の上部内面へ水密に嵌合させている。周壁12は外向きフランジ13よりも上方部分を小外径化させてその上端へ付設した頂板16中央部を上面開放の第１凹部17a とし、かつ該第１凹部の内周壁との間に小間隙をおいて第１凹部底壁18から第１凹部内へ位置させて短筒19を起立し、該短筒内を第２凹部17b として該第２凹部底壁中心に小さく流出孔20を穿設している。第１凹部17a を囲む頂壁部分上面からは複数の擦付用小隆起21を突出させている。これ等小隆起部は例えば洗濯物の汚れ部分へ洗剤を付設し、該洗剤付着の汚れ部分を擦り、その汚れを除去するためのものでその大きさはその擦りに適する程度に設ければよい。又上記外向きフランジ13の内方寄り部分からは後述の口キャップ螺合用の雄ねじ筒22を起立させている。塗布具の周壁12内面へは計量用目盛23を設けている。
【００１６】
31は口キャップで、周壁32下部を大外径の第２雌ねじ筒33として上記雄ねじ筒22外面へ着脱自在に螺合させ、第２雌ねじ筒33上端から内向きフランジ34を介して起立させた周壁上端の天板35中央部から既述第２凹部内へ水密に嵌合して流出孔20を密閉する栓36を垂下する。尚図示例ではその栓を下面開口の筒状としている。内向きフランジ34の内周からはシール筒を垂下させて該シール筒を雄ねじ筒22の上部内面へ水密に嵌合させている。
【００１７】
図３と図４とは第２実施形態を示す。該実施形態は、容器体１とキャップ状塗布具11との間に液体注出用ノズル筒41を介在させたもので、その他部分は第１実施形態の場合と同じである。よって同一部分については同一符号を付することで説明を省略し、相違部分についてだけ説明する。
【００１８】
ノズル筒41は、容器体口頸部４の上端面へ載置させたフランジ42外周から周壁43を垂下し、該周壁を口頸部４外面へ回動不能に嵌着させており、フランジ内周部からは雄ねじ筒44を起立し、又フランジ内周から口頸部下内方へ支持筒45を垂下させて該支持筒下端から弯曲部46を介して下部大径で上部小径のノズル47を起立する。該ノズルは後部（図３で右方）下端から後部上端まで樋状に切欠き48し、既述雄ねじ筒44よりも高く、塗布具11の上部内まで起立させている。
【００１９】
上記構成において、容器を液状洗剤容器として使用する際、第１実施形態の場合はまず、口キャップ31を螺合させたままで塗布具11を螺脱し、該塗布具の周壁12内へ容器体内液体を入れる。塗布具11はその頂板16に流出孔20を有するが、口キャップの栓36が流出孔を密閉しているから、口キャップ付き塗布具11を計量カップとして使用することが出来る。洗濯物の汚れの多い部分に対しては、塗布具だけを容器体口頸部へ装着させ、容器体胴部圧搾等で流出孔20から注出させた液状洗剤を汚れ部分へ付着させ、小隆起部21をタワシ状に用いて擦り汚れを除けばよい。
【００２０】
第２実施形態の場合は、ノズル筒41を残し、口キャップ31を螺合させたままで塗布具11を外し、該口キャップ付き塗布具を計量カップとして該カップ内へノズル筒41から収納液体を入れ計量すればよい。その他は第１実施形態の場合と同様に行えばよい。
【図面の簡単な説明】
【００２１】
【図１】本発明容器要部の半断面図である。
【図２】図１容器の分解斜視図である。
【図３】第２実施形態で示す容器要部の半断面図である。
【図４】図３容器の分解斜視図である。
【符号の説明】
【００２２】
１  容器体                          ４  口頸部
11  塗布具                          14  第１雌ねじ筒
16  頂板                            20  流出孔
21  小隆起部                        31  口キャップ
36  栓                              41  ノズル筒
47  ノズル
【図１】
2006232368.tif 000003
【図２】
2006232368.tif 000004
【図３】
2006232368.tif 000005
【図４】
2006232368.tif 000006